(57)【要約】  本発明は、既存のスピーカーに取り付けて、無線音声送信経路が提供されるようにすることを可能とする、送信機と受信機とを具備する無線送信システムに関する。
2008514046.tif 000002
【特許請求の範囲】
【請求項１】
無線送信された音声信号を受信する受信機であって、
無線送信された音声信号を受信してデコードするための受信部（４）と、
デコードされた音声信号を増幅するための音声増幅部（９）と、
増幅された音声信号を出力するための外部音声出力と、
ハウジングと、前記ハウジングに取り付けられたライン電源プラグ（１）とを具備し、受信部（４）と音声増幅部（９）はハウジング内に配置されていることを特徴とする受信機。
【請求項２】
さらに、前記音声信号とともに送信される複数の音声チャネルからチャネルを選択するためのスイッチ部（８）を具備することを特徴とする請求項１に記載の受信機。
【請求項３】
さらに、前記外部音声出力に出力される増幅された音声信号のボリュームを調節するためのボリューム調節部（５）を具備することを特徴とする請求項１または２に記載の受信機。
【請求項４】
さらにライン出力端子（６）を具備することを特徴とする請求項１〜３のいずれか１項に記載の受信機。
【請求項５】
さらに、チャネル調節部（ＫＥＥ）を具備することを特徴とする請求項１〜４のいずれか１項に記載の受信機。
【請求項６】
チャネル調節部（ＫＥＥ）がチャネル調節のための走査機能を実行するように構成されていることを特徴とする請求項５に記載の受信機。
【請求項７】
無線送信された音声信号を受信するための受信機であって、さらに、無線送信された音声信号を受信してデコードするための受信部（４）と、デコードされた音声信号を増幅して出力するための音声増幅部（９）と、増幅された音声信号を出力するための外部音声出力と、送信された音声信号を検波し、音声信号の中にエンコードされた他の信号から前記音声信号を分離するための検波器とを具備することを特徴とする受信機。
【請求項８】
音声信号の増幅は、前記音声信号から分離された信号に応じて増幅部（９）内で実行されることを特徴とする請求項７に記載の受信機。
【請求項９】
さらに、無線送信された制御情報を受信するための検波器を具備し、受信された制御信号に対応して受信機の動作が制御されることを特徴とする請求項７又は８に記載の受信機。
【請求項１０】
ライン電源プラグ（１）が取り付けられているハウジングを具備し、受信部（４）と、音声増幅部（９）と、検波器とがハウジング内に配置されていることを特徴とする請求項７〜９のいずれか１項に記載の受信機。
【請求項１１】
請求項１〜１０のいずれか１項に記載の受信機を具備した無線音声信号送信システム。
【発明の詳細な説明】
【技術分野】
【０００１】
本発明は、送信機と受信機とを具備する無線送信システムに関する。
【背景技術】
【０００２】
データや信号が送信される多くの分野において、ケーブルを利用した送信は、無線送信にとって代わられつつある。このようにすると、例えば、厄介なケーブル引き回しを避けることができる。特に、音声信号の送信においては、無線ヘッドフォン、無線マイクロフォン、及びインイヤー式のモニター（ｉｎ−ｅａｒ  ｍｏｎｉｔｏｒ）のような無線送信経路、ないしは無線送信システムが周知である。
【０００３】
さらに、例えば、送信機が音声信号ソースに接続され、無線受信機は部屋の内部のどこに設置しても良い無線送信システムが公知である。その際に、音声処理部が無線受信機に接続されても良い。ビルトイン無線受信機を備えたスピーカー（ｌｏｕｄｓｐｅａｋｅｒ）は、無線音声信号送信システムの他の一例である。ところが、この種のスピーカーにおける無線送信は、商用のソリューションである。
【０００４】
上述の無線送信システムでは、改良容易性や、もしくは使用容易性を確保できない。
【０００５】
米国特許２００３／０１７９８８９Ａ１では、スピーカー用の無線アダプタが開示されている。このアダプタは、送信された音声情報を受信するための高周波受信機を具備している。受信された高周波音声信号は、増幅器によって増幅され、かつスピーカーに接続可能な出力へと送信される。前記アダプタは、標準ライン電源により電源供給される。
【０００６】
独国特許６９２  ２０  １８０  Ｔ２では、音声信号を受信するための音声入力と、前記音声信号を処理するための信号処理回路と、制御信号を受信するための制御入力とを備えた、増幅可能（ａｃｔｉｖｅ）な音声再生機器を開示している。前記増幅可能な音声再生機器は、遠隔制御により同様の方法により制御される。
【０００７】
米国特許第５，９７０，３９０号では、ＦＭラジオに音声信号を送信するための送信機が開示されている。制御回路が、ＦＭ送信帯域内の未使用周波数を検波し、対応する方法で送信機の周波数を調整する。
【０００８】
米国特許第４，４３４，５０９号では、受信部とライン電源プラグとがハウジング内に配置された携帯用トランジスタラジオが開示されている。
【特許文献１】米国特許２００３／０１７９８８９Ａ１
【特許文献２】独国特許６９２  ２０  １８０  Ｔ２
【特許文献３】米国特許第５，９７０，３９０号
【特許文献４】米国特許第４，４３４，５０９号
【発明の開示】
【発明が解決しようとする課題】
【０００９】
従って、無線音声送信経路を提供するような方法で既存のスピーカーを改良することを可能とする、送信機と受信機とを有する無線送信システムを提供するのが本願発明の目的である。
【００１０】
この目的は、請求項１に記載の受信機と、請求項１０に記載の無線音声信号送信システムとによって達成される。
【発明を実施するための最良の形態】
【００１１】
図１は、第１実施形態による受信機の説明図を示している。
【００１２】
前記受信機は、ラジオ受信部４と、アンテナ３と、音声出力増幅部９と、電源２と、音声出力接続もしくは端子７とを具備している。受信機は、ライン電源を使用して電源を確保するために商用利用可能な差込口に挿入可能なプラグ１に固定接続されている。スピーカー（図示せず）は、好ましくは音声信号を出力するための音声出力端子７に接続されている。さらに、受信機は、音声信号のボリュームを調節するボリューム制御部５を具備している。
【００１３】
対応する無線送信機は、好ましくは同様に、ライン電源を利用する電源が供給される。受信機への音声信号の無線送信は、ＨＦ信号や、ＩＲ信号や、超音波信号や、もしくは無線送信に適切でありかつ開放されている他の周波数を用いて実行される。送信機は、ライン出力インターフェースや、もしくは音源（図示せず）の他の適切なインターフェースに、オーディオケーブルを用いて接続してもよく、かつ対応する音声信号を無線で送信しても良い。
【００１４】
前記受信機は、電源２から電源を供給される。送信機によって無線で送信された信号は、アンテナ３と、ラジオ受信部４とを利用して受信され、かつ復調される。復調された音声信号は、出力端子７に出力信号を送信する音声出力増幅器９に送信される。スピーカーが端子７に接続されると、増幅され、かつ復調された音声信号を、前記スピーカーによって再生することができる。受信機は、プラグ１に固定接続されているので、対応する電源ケーブルを不要にするために、前記プラグを前記受信機とともに差込口に直接挿入するようにしても良い。代わりに、ライン電圧を供給するために、取り外し可能な電源ケーブルを、プラグ１と、受信機との間に設けても良い。
【００１５】
上記の構成要素に加えて、受信機はまた、スイッチ８を具備しても良い。スイッチ８は、音声信号が多重信号として送信されるときに使用される。動作した場合、スイッチ８は、左ステレオチャネルまたは右ステレオチャネルのどちらを、受信機によって同様に再生するかを決定する。このことは次を意味する。左ステレオチャネルもしくは右ステレオチャネルを受信すること及び再生することの両方に適しており、かつスイッチ８を作動させることによってのみ、どのチャネルが音声出力増幅器９と、従って外部のスピーカーとに送信されるかが決定される。
したがって、ステレオ信号の左／右指定は、スイッチ８を利用して実行する。
これは、例えば受信信号を逆多重化することにより実行される。逆多重化された信号は、そこで、ステレオ信号の左チャネルもしくは右チャネルに対応するモノラル信号となる。即ち、全ステレオ信号が送信され、右チャネルあるいは左チャネルのどちらが増幅され、かつ同様に出力されるかが、スイッチ８を用いて選択される。
【００１６】
ステレオ信号の送信の代わりに、５．１サラウンド音声信号を同様に送信しても良い。この場合、スイッチ８を用いて、どのチャネルが増幅され、かつ外部スピーカーに出力されるかが決定される。この場合、全５．１信号が、同様に送信され、かつ、スイッチ８を用いて、どのチャネルが増幅され、かつ出力されるべきかが決定される。
【００１７】
外部スピーカー用の端子７に加えて、受信機はまた、追加の装置を接続可能であるライン出力として追加の第２端子６を具備し、送信装置に接続された装置と、受信装置に接続された装置との間で無線音声送信が実行可能であるようにしても良い。
【００１８】
前記受信機と送信機は、各々がチャネル調節部ＫＥＥを具備しても良い。送信経路内の送信チャネルは、前記チャネル調節部を利用して調節して、もしくは選択してもよい。これは、手動で実行しても良いし、もしくは走査機能（ａｕｔｏ−ｔｕｎｉｎｇ）を利用して実行しても良い。
【００１９】
第１実施形態をベースとした第２実施形態によると、受信機の全て、もしくは全ての実質的な機能は、遠隔制御により調節してもよい。遠隔制御は、送信機内部に実装しても良いし、もしくは独立した部分として実装しても良い。この場合、第２実施形態による受信機は、外部から調節可能なボリューム制御部５を具備せず、むしろ、ボリュームは、遠隔制御の対応する操作により変更される。
【００２０】
前記遠隔制御は、ＩＲ信号、超音波信号、ＷＬＡＮ信号もしくはブルートゥース信号に基づいてもよい。遠隔制御は、受信機と直接通信しても良いし、送信機経由で受信機と間接的に通信しても良い。遠隔制御が受信機と直接通信する場合は、前記受信機は、遠隔制御から無線送信された信号を受信するための他の受信部を具備する。遠隔制御が送信機と通信する、もしくは送信機経由で受信機と通信する場合は、遠隔制御の信号は送信される音声信号に追加しても良いし、前記音声信号内にエンコードされ、ついで前記音声信号と一緒に無線で送信しても良い。この場合、遠隔制御信号を受信するための独立した受信構成要素は、受信機内から省くことができる。
【００２１】
遠隔制御信号が、同様に送信機によって受信機に送信される場合は、受信機は、さらに、無線で送信された音声信号と遠隔制御信号とを分離する検波器を具備する。遠隔制御用の信号は、そこで、ボリューム制御部５を利用してボリュームを調節するために使われ、一方、無線送信された音声信号は、第１実施形態で説明されたように処理され、かつスピーカーに送信しても良い。
【００２２】
第２実施形態をベースとした第３実施形態によると、送信機は、無線マイクロフォンとして構成される。ボリューム制御部は、受信機によって出力される音声信号のボリュームを調節するために、無線マイクロフォンに形成されている。第２実施形態におけるのと同様に、マイクロフォンが適切な送信機を具備し、かつ受信機が対応する受信部を具備している前提において、受信機へのボリューム信号の送信は、ＩＲ信号、超音波信号、ＷＬＡＮ信号、もしくはブルートゥース信号を利用して実行される。代わりに、マイクロフォンから受信される音声信号内にボリューム信号がエンコードされ、かつ音声信号と一緒に送信しても良い。この場合は、受信機は、音声信号とボリューム信号とを互いに分離し、かつ前記音声信号と前記ボリューム信号とを、第１実施形態に対応するように処理するための対応する検波器を具備する。
【００２３】
上述の、送受信機間における無線信号送信は、ＨＦ信号、ＩＲ信号、超音波信号、ＷＬＡＮ信号、もしくはブルートゥース信号を利用して実行してもよい。代わりに、送信機から受信機への信号の送信は、前記送信機と前記受信機とが供給電圧を受けるライン電圧を基準に実行しても良い。即ち、電源ラインを経由した信号送信である。この場合、前記送信機は、対応する送信部を具備しなければならず、かつ前記受信機は、対応する受信部を具備しなければならない。
【図面の簡単な説明】
【００２４】
【図１】図１は、第１実施形態による受信機の説明図を示している。
【符号の説明】
【００２５】
１  ライン電源プラグ
２  電源
３  アンテナ
４  受信部
５  ボリューム制御部
６  ライン出力端子
７  端子
８  スイッチ部
９  音声増幅部
【図１】
2008514046.tif 000003
【国際調査報告】
2008514046.tif 000004
2008514046.tif 000005
2008514046.tif 000006
2008514046.tif 000007
2008514046.tif 000008
2008514046.tif 000009
2008514046.tif 000010
2008514046.tif 000011
2008514046.tif 000012
2008514046.tif 000013